(57)【特許請求の範囲】
【請求項１】
赤外線を発生する投光素子と前記赤外線を反射して一定方向に向かう赤外線ビームとして出射する出射ミラーとを有する投光器と、赤外線の受光素子と前記投光器からの赤外線ビームを前記受光素子に集光する集光ミラーとを有する受光器と、前記投光器または受光器に設けられて両者間の光軸を調整するための照準器とを備え、人体等による赤外線ビームの遮断により人体等を検知する防犯用センサ装置であって、
前記照準器は、接眼窓、対物窓、および接眼窓と対物窓との間で照準軸上に配置された照準ミラーを備え、
前記照準ミラーは、前記投光器の出射ミラーまたは前記受光器の集光ミラーと一体形成されているとともに、前記出射ミラーまたは集光ミラーから突出しており、
前記照準器は前記接眼窓、対物窓および後方に開口した第１ケース開口部を有する第１ケースと、前方に開口した第２ケース開口部を有し前記第１ケースの後部に連結されて前記第１ケース開口部を覆う第２ケースとを備え、
前記第１ケースと第２ケースの間で前記照準ミラーが挟持されている防犯用センサ装置。
【発明の詳細な説明】
【０００１】
【発明の属する技術分野】
本発明は、投光部の投光素子から出射する赤外線ビームを受光部の受光素子で受光し、この赤外線ビームを不法浸入者が遮断したときに警報信号を発する防犯用センサ装置に関するものである。
【０００２】
【従来の技術】
この種の防犯用センサ装置は、直線的な警戒区域の両端部に、赤外線投光部の投光器と赤外線受光部の受光器とが、これらの光軸を一致させた配置で設置されており、直線的な近距離から数百ｍの長距離までの警戒区域を設定できるので、長距離になる程、投光器と受光器間での光軸を正確に一致させるのが難しくなる。そこで、従来の防犯用センサ装置には、投光器および受光器にそれぞれ光軸合わせをするための照準器が設けられており、設置またはメンテナンスに際しては、投光器および受光器に設けられた照準器ののぞき窓を覗きながら投光器および受光器の上下角および水平角を調整して目視により光軸を概ね合わせる。そののちに、受光部の検波回路に接続して内蔵された電圧計などのレベルメータにより受光器の赤外線受光量に比例した信号レベルを読み取りながら、その表示レベルが所定の受光レベル以上になるように受光器の前記角度を微調整して光軸の最終調整を行うようにしている。
【０００３】
ところで、前記防犯用センサ装置における投光部の投光素子から発生した赤外線を反射して一定方向に向かう赤外線ビームとして出射する出射ミラーや、受光部の赤外線ビームを受光素子に集光する集光ミラーは、大量生産によるコストダウンを図ることを目的として、成形金型を用いた合成樹脂の射出成形により放物面や球面からなる滑らかな面を有するミラー本体を成形加工して、このミラー本体に、アルミニウムを蒸着したり、クロムめっきを施して反射面が形成されている。
【０００４】
一方、前記照準器は、接眼窓、対物窓、および接眼窓と対物窓との間で照準軸上に配置された照準ミラーを備えている（実開昭52-26539号公報参照）。前記照準ミラーとしては、市販の樹脂製の鏡を所要の寸法に切断したものを用いており、このような市販の鏡は、透明な板材の裏面に金属箔を蒸着して反射面を形成した裏面反射鏡である。
【０００５】
【発明が解決しようとする課題】
しかしながら、従来の防犯用センサ装置では、出射ミラーまたは集光ミラーに対し照準ミラーを所定角度を有する相対位置に位置決めして接着手段などで固定しているが、組み立ての際のばらつきに起因して照準ミラーの光軸と出射ミラーや集光ミラーの光軸とが所定の相対角度からずれた配置で組み立てられ易い。すなわち、照準ミラーは、照準器の取付部に嵌め込まれて接着されるが、照準ミラーの厚みのばらつきを考慮して、照準ミラーの取付部への嵌め込み寸法は最大厚さの照準ミラーが嵌入できるように設定して、基本的に隙間嵌めになっており、そのときの照準ミラーのがたつき防止はねじロックなどの接着剤で行っているので、照準ミラーが出射ミラーまたは集光ミラーに対して所定の相対角度からずれた配置で固定され易い。このような角度ずれが生じた場合には、照準器による光軸合わせが不正確になったり、光軸合わせができなくなることもある。
【０００６】
また、従来の防犯用センサ装置では、別体の照準ミラーと出射ミラーまたは集光ミラーとを相互に位置決めして組み付けるので、作業性が悪い上に、部品点数が多いことから組立工数も多くなり、コスト高を招いている。
【０００７】
本発明は、前記従来の課題に鑑みてなされたもので、照準ミラーを出射ミラーまたは集光ミラーに対し正確な相対角度で組み立てることができるとともに、コストダウンを図ることができる防犯用センサ装置を提供することを目的とするものである。
【０００８】
【課題を解決するための手段】
上記目的を達成するために、本発明の防犯用センサ装置は、赤外線を発生する投光素子と前記赤外線を反射して一定方向に向かう赤外線ビームとして出射する出射ミラーとを有する投光器と、赤外線の受光素子と前記投光器からの赤外線ビームを前記受光素子に集光する集光ミラーとを有する受光器と、前記投光器または受光器に設けられて両者間の光軸を調整するための照準器とを備えたものである。前記照準器は、接眼窓、対物窓、および接眼窓と対物窓との間で照準軸上に配置された照準ミラーを備え、前記照準ミラーは、前記投光器の出射ミラーまたは前記受光器の集光ミラーと一体形成されているとともに、前記出射ミラーまたは集光ミラーから突出している。前記照準器は前記接眼窓、対物窓および後方に開口した第１ケース開口部を有する第１ケースと、前方に開口した第２ケース開口部を有し前記第１ケースの後部に連結されて前記第１ケース開口部を覆う第２ケースとを備え、前記第１ケースと第２ケースの間で前記照準ミラーが挟持されている。ここで、照準軸とは、接眼窓、照準ミラーおよび対物窓の各中心部を通る光軸をいう。
【０００９】
この防犯用センサ装置では、照準ミラーが投光器の出射ミラーまたは受光器の集光ミラーと一体形成されているので、この照準ミラーを一体に備えた出射ミラーまたは集光ミラーを、例えば、精密な成形金型を用いた射出成形により成形加工すれば、照準ミラーと出射ミラーまたは集光ミラーとの相対角度は、成形金型によって一義的に決定されて、組み立て上のばらつきの影響を受けることなく常に正確なものとなるとともに、照準ミラーの位置決めが不要となることから、組立性が向上する。また、照準ミラーと出射ミラーまたは集光ミラーとが一体物であるから、部品点数の低減に伴って組立工数を削減でき、相当のコストダウンを図ることができる。しかも、照準ミラーは、出射ミラーまたは集光ミラーから突出しているために変形し易い状態であっても、照準器内に組み付けられたときに、第１ケースと第２ケースとで挟持されて、変形が防止される。
【００１１】
【発明の実施の形態】
以下、本発明の好ましい実施形態について図面を参照しながら説明する。
図１は本発明の一実施形態に係る防犯用センサ装置を示すブロックである。この防犯用センサ装置は、直線的な警戒区域の両端部の壁面またはポールに取り付けられる投光部１と受光部８とからなり、投光部１および受光部８は共にユニット化された構成になっている。投光部１および受光部８は、光軸を一致させて相対向する配置で設置される。
【００１２】
投光部１には投光器２および投光器駆動回路３を有しており、この投光器２および投光器駆動回路３は、後述するように、一対設けられているが、図１では１つのみを示している。投光器２は、赤外線発光ダイオードなどの投光素子と、この投光素子から発生した赤外線を反射して一定方向に向かう近赤外線のような赤外線ビームＩＲとして出射する出射ミラーとを備えている。投光器駆動回路３は投光器２の投光素子を所定の周波数で発光駆動してパルス変調波からなる赤外線ビームＩＲを出射させる。
【００１３】
一方、受光部８では、集光レンズとフォトトランジスタなどの受光素子とを備えた受光器９が、投光部１からの赤外線ビームＩＲを受光して、その赤外線受光量に応じた信号レベルの電気信号を出力する。この電気信号が増幅回路１０で増幅されたのちに、検波回路１１で外乱光を除去されてパルス変調波のみによる受光信号のレベルに応じた信号に変換され、この信号レベルが予め設定された侵入検知レベル以下であるか否かを信号判別回路１２で判別される。信号判別回路１２は、投光部１からの赤外線ビームＩＲが不法浸入者により遮られて受光信号レベルが予め設定された侵入検知レベル以下であると判別したときに、検知信号を出力する。警報回路１３は、信号判別回路１２から検知信号が入力することによって駆動され、不法浸入者が存在することを報知するための警報信号を、例えば図示しない警備センターへ出力するようになっている。
【００１４】
受光部８の検波回路１１には電圧計などのレベルメータ１４が接続されており、このレベルメータ１４には、受光器９の赤外線受光量に比例した信号レベルが表示される。検波回路１１には、レベルメータ１４とは別に、受光信号のレベルが所定レベルを越えたときに点灯するレベル表示器が接続されることもある。前記受光器９、増幅回路１０、検波回路１１、信号判別回路１２およびレベルメータ１４も、後述するように、一対設けられているが、図１では１つのみを示している。
【００１５】
図２は前記防犯用センサ装置に設けられている照準器４の概略横断面図、図３（ａ）は前記照準器４を示す分解斜視部、（ｂ）は照準器４の斜視図である。図示の照準器４は受光部８に設けられたものであるが、投光部１にも同様の構成を有する照準器を設けている。
【００１６】
図２に示すように、照準器４の本体ケース７は、第１ケース１７と第２ケース１８とを結合して構成されている。第１ケース１７は、後方に開口した第１ケース開口部１９を有し、前側面に左右一対の接眼窓（のぞき窓）２０と左右一対の対物窓（照準孔）２１とを有している。これら窓２０，２１は、単なる開口でもよいし、開口に透明なガラスや樹脂からなる窓材を嵌め込んだものでもよい。
【００１７】
第１ケース１７の上部後端面には、図３（ａ）に明示するように、一対の位置決め用切欠き２２が形成されており、この位置決め用切欠き２２には後述の照準ミラーの基部が当て付けられる。一方、第２ケース１８は、前方に開口した第２ケース開口部２３を有しており、第１ケース１７の後部に、第１ケース１７の両外側面に設けた係止片４５を第２ケース１８の側壁に設けた係止孔４６に係止させることで、着脱可能に連結されて、図３（ｂ）に示すように、第１ケース開口部１９を覆う。両ケース１７，１８の連結手段として、ねじ体を用いることもできる。
【００１８】
受光器９における集光ミラー２４は放物面形状の反射面が内面に形成されたものであり、この集光ミラー２４には、図３（ａ）に明示するように、上下方向に延びる帯状平板となった左右一対の照準ミラー２７が一体に突設されている。この一体化された集光ミラー２４と一対の照準ミラー２７とは、成形金型を用いた合成樹脂による射出成形によって各々のミラー本体が形成されたのちに、赤外線または可視光線が入光する表面側に、例えばアルミニウムの蒸着またはクロムめっきなどの表面処理が施されることにより、表面反射鏡として形成されている。
照準ミラー２７の根元部（上部）には、抜け止め片４７が形成されている。
【００１９】
受光器９は、集光ミラー２４の焦点位置に、図３（ａ）に２点鎖線で示すように、図示しないプリント基板に実装された受光素子３１を配置して構成されており、投光器２から出射された赤外線ビームＩＲを集光ミラー２４で反射して受光素子３１に集光するようになっている。投光器２は、集光ミラー２４と同一形状の出射ミラーの焦点位置に投光素子を配置して、投光素子から発生した赤外線を出射ミラーで反射して一定方向に向かう赤外線ビームＩＲとして出射するようになっている。
【００２０】
照準器４の本体ケース７は、一対の照準ミラー２７の根元部が第１ケース１７の位置決め用切欠き２２に当て付けられ、この切欠き２２の下側、つまり本体ケース７の内方に、抜け止め片４７を位置させ、かつ、集光ミラー２４が第１ケース１７の上面に当接された状態で、第１ケース１７の後部に第２ケース１８が連結される手順で組み立てられる。このとき、照準ミラー２７は、抜け止め片４７により本体ケース７から抜け止めされた状態で、位置決め用切欠き２２と第２ケース１８における前記切欠き２２に対向する前縁押圧部１８ａとの間で挟持される。さらに、両ケース１７，１８の内底面に形成された保持片４８（第２ケース１８についてのみ図示）の間で照準ミラー２７の先端部（下端部）を挟持する。こうして、照準ミラー２７は、照準軸３２上に正確に位置決めされて配置される。本体ケース７は、受光器９の両側部に設けられた軸受筒部２８が支持板２９の水平な支軸３０に回転自在に外嵌されて、受光器９と一体的に両支軸３０回りに回動可動に設定されている。
【００２１】
図４は、前記照準器４が組み込まれた受光部８を示す斜視図であり、投光部１も同様の構成になっているので、同図には投光部１における相当部品に対応する符号をも併せて付してある。受光部８は、壁などの取付面に取り付けられる取付用ベース３３と、この取付用ベース３３にこれの複数の取付孔３４を介して着脱自在に取り付けられてセンサ回路全体を覆うカバー３５とにより、外体ケースが構成されている。受光器９は、集光ミラー２４の焦点位置に受光素子３１が配置され、その集光ミラー２４の開口部がミラーカバー３６で覆われている。
【００２２】
取付用ベース３３の中央部に設けられた端子台ケース３９の上下部には、回転板３７が図示しない鉛直軸回り（図のｈ方向回り）に回転自在に設けられており、この回転板３７には、図２でも示した一対の支持板２９が、図４の回転板３７に対し直交する配置で固定されている。この両支持板２９の外側面には、滑り止め付きの操作板（右方側のみ図示）３８が固定されており、操作板３８を手で持って回転操作することにより、受光器９の水平角（図４のｈ方向の角度）が粗調整される。さらに、調整ねじ４０の正逆方向への回転操作によって微調整が行われる。
【００２３】
受光器９に一体化された照準器４は、図２に示したように、受光器９の左右一体の軸受筒部２８が支持板２９の支軸３０に回転自在に外嵌されて、支軸３０回り（図４のｖ方向回り）に回転自在に支持されており、この照準器４の支軸３０回りの回動は、図４の調整ねじ４１の正逆方向への回転操作によって行われる。こうして、受光器９の上下角（図４のｖ方向の角度）が可変調節される。受光器９の投光器２に対する光軸合わせは、水平角と上下角とを可変調整することによって行われる。なお、図１の投光部１は、受光素子３１の配設位置に受光素子に代えて投光素子を配置するだけであり、その他の構成は上述した受光部８と同様である。また、このセンサ装置では、図１の２つの受光器９から共に検知信号が出力されたときに警報回路１３から警報信号を出力するようになっている。
【００２４】
この防犯用センサ装置では、設置時やメンテナンス時に光軸調整を行う場合、先ず、投光部１における図４のベース３３に着脱自在となったカバー３５を開放して、照準器４の接眼窓２０を覗きながら操作板３８または調整ねじ４０，４１を操作して、投光器２の水平角または上下角を調整し、照準ミラー２７に映る受光器９の像と対物窓２１とが重なるように操作することにより、光軸の調整を行う。
【００２５】
つぎに、受光部８についても同様な操作を行って光軸の粗調整を行う。つづいて、図１のレベルメータ１４の表示を見ながら表示レベルが最大値になるように、図４の操作板３８または調整ねじ４０，４１を回転操作して光軸の微調整を行い、レベルメータ１４の表示が所定レベル以上になるまで、つまり受光器９の光軸が投光器２に正確に一致するまで、このような投光部１および受光部８の光軸調整を必要に応じて複数回繰り返す。
【００２６】
この防犯用センサ装置では、照準ミラー２７と投光器２の出射ミラー２４または受光器９の集光ミラー２４とが一体形成されているので、部品点数の低減に伴って組立工数を削減でき、コストダウンを図ることができる。また、照準ミラー２７と出射ミラーまたは集光ミラー２４との相対角度は、成形加工時の精密な成形金型によって一義的に決定されるから、組み立て時の位置決めのばらつきの影響を受けることなく常に正確なものとなり、光軸合わせを容易、かつ正確に行うことができる。さらに、この防犯用センサ装置では、照準ミラーと出射ミラーまたは集光ミラーとの位置決めが不要であるから、組立性が向上する。また、照準器４の照準ミラー２７は、出射ミラーまたは集光ミラー２４から帯状板材として突出しているために、曲げや捩り変形を起こし易いが、本体ケース７内に組み付けられたときに、第１ケース１７と第２ケース１８とで挟持されるので、変形が防止され、正確な照準軸３２（図２）を保つことができる。
【００２７】
また、従来は、照準ミラーとして市販の、透明板材の裏面に反射層を形成した裏面反射鏡を用いていることから、透明板材を通過する際の屈折に起因して光路の入・出射ポイントにずれが生じるので、光の屈折と反射とを考慮して設計しなければならない上に、この照準ミラーの透明板材の厚みのばらつきにも起因して、出射ミラーまたは集光ミラーに対する照準ミラーの相対角度のずれが一層発生し易い。これに対し、本願発明の照準ミラー２７は、従来の照準器が有する裏面反射鏡の照準ミラーとは異なり、射出成形品であるミラー本体にアルミニウムの蒸着またはクロムめっきによる表面加工を施した表面反射鏡であることから、設計時に屈折による光路の入・出射ポイントのずれや照準ミラー２７の厚みのばらつき等を考慮する必要がないので、設計の簡略化を図ることができ、これによっても一層のコストダウンを達成できる。
【００２８】
【発明の効果】
以上のように本発明に係る防犯用センサ装置によれば、照準ミラーが投光器の出射ミラーまたは受光器の集光ミラーと一体形成されているので、照準ミラーと出射ミラーまたは集光ミラーとは、ばらつきなく常に正確な相対角度を有するとともに、組立性が向上する。また、照準ミラーと出射ミラーまたは集光ミラーとが一体物であるから、部品点数の低減に伴って組立工数を削減でき、コストダウンを実現することができる。さらに、表面反射鏡を用いることができるから、設計時に屈折による光路の入・出射ポイントのずれや照準ミラー２７の厚みのばらつき等を考慮する必要がなくなり、設計の簡略化を図ることができる。
【図面の簡単な説明】
【図１】本発明の一実施形態に係る防犯用センサ装置を示すブロック構成図である。
【図２】同上の防犯用センサ装置に具備されている照準器の概略横断面図である。
【図３】（ａ）は同上の照準器を示す分解斜視部、（ｂ）は照準器の斜視図である。
【図４】同上の照準器を組み込んで構成された受光部を示す斜視図である。
【符号の説明】
２…投光器、４…照準器、９…受光器、１７…第１ケース、１８…第２ケース、１９…第１ケース開口部、２０…接眼窓、２１…対物窓、２３…第２ケース開口部、２４…出射ミラー、集光ミラー、２７…照準ミラー、３１…受光素子、３２…照準軸、ＩＲ…赤外線ビーム
【図１】
0004660707.tif 000002
【図２】
0004660707.tif 000003
【図３】
0004660707.tif 000004
【図４】
0004660707.tif 000005